(57)【特許請求の範囲】
【請求項１】
６４ｋｂ／ｓ単位のタイムスロット内に８ビット×４０フレームのマルチフレームを構成し、このマルチフレームの任意の１フレームの８ビットを付加ビットとし、前記８ビットの付加ビット内の任意複数ビットをフレーム同期ビットとし、前記マルチフレームの残りのフレームを３フレーム毎に２４ビットから構成されるグループに分割し、前記２４ビットを情報伝送用ビットとし、前記２４個の情報伝送用ビットには各々２４個の異なる情報伝送用ビット番号が前記１３組のグループに共通に付与され、前記８ビット×４０フレームのマルチフレーム内に同一番号を持つ情報伝送用ビットの集合１３ビットを１つの単位とし、前記８ビット×４０フレームのマルチフレーム内に２４個の前記同一番号を持つ情報伝送用ビットの集合を形成し、前記８ビット×４０フレームは前記フレーム同期ビットによりマルチフレーム同期を行い、チャネルの伝送速度に応じた数の前記同一番号を持つ情報伝送用ビットの集合でチャネルを構成すると共に、シグナリング信号または伝送されるデータチャネルに付随するステータス信号を各チャネル毎に多点サンプリングを行い、前記同一番号を持つ情報伝送用ビットの集合内の１つまたは複数のビットに割り当てて伝送することを特徴とする時分割多重化装置。
【請求項２】
８ビット×４０フレームのマルチフレームの同一番号を持つ情報伝送用ビットの集合に対し、複数のチャネルを当該チャネルの伝送速度に応じた数の前記同一番号を持つ情報伝送用ビットの集合を任意に選択してチャネルを構成することにより、前記８ビット×４０フレームのマルチフレームにおいて異速度のチャネルを混在させて伝送することを特徴とする請求項１記載の時分割多重化装置。
【請求項３】
２．４ｋｂ／ｓ×ｎ（ｎは自然数）の伝送速度を持つデータチャネルに対し、８ビット×４０フレームのマルチフレームのｎ個の同一番号を持つ情報伝送用ビットの集合を割り当て、当該同一番号を持つ情報伝送用ビットの集合中の（１２×ｎ）ビットをデータに、ｎビットを当該チャネルのデータ通信中を示すステータス信号として割り当て、２．４ｋｂ／ｓ×ｎの伝送速度を持つデータチャネルを構成することを特徴とする請求項１または２記載の時分割多重化装置。
【請求項４】
８ビット×４０フレームのマルチフレームの８ビット付加ビットのうちのフレーム同期ビット以外の１つまたは複数のビットを０．２ｋｂ／ｓ×ｋ（ｋは自然数）のデータ信号として割り当てることを特徴とする請求項１記載の時分割多重化装置。
【発明の詳細な説明】
【０００１】
【発明が属する技術分野】
本発明は、時分割多重化装置に関し、特に時分割多重化装置に複数のデータ伝送用通信装置を接続し、低速のデータ信号を高速のデータ信号に多重化して伝送するための時分割多重化装置に関するものである。
【０００２】
【従来の技術】
時分割多重化装置に複数のデータ伝送用通信装置を接続し、６４ｋｂ／ｓタイムスロット内に低速のデータ信号（０．４ｋｂ／ｓ系）を高速のデータ信号に多重化するビット多重化方法としては、特開昭６３−０６９３４１号が知られている。
【０００３】
この多重化装置は、最大２４の端末からのデータ２８８ビットデータを８ビット×３６のフレーム構成とし、１ビットの付加ビットとフレーム検出用の７ビットの付加ビットとデータ伝送中を示す２４ビットの付加ビットを付加し、８ビット×４０フレームのデータを６４ｋｂ／ｓの多重化信号列に変換して伝送するものである。
【０００４】
図３は、この種従来の低速のデータ信号を６４ｋｂ／ｓの多重化信号列に変換して伝送する多重化方法のマルチフレームの構成例を示している。
【０００５】
図３において、情報チャネルは使用回線により決定されるタイムスロットＴＳＮｏ．１〜Ｎｏ．ｎを有し、各タイムスロットは８ビット×４０フレームのマルチフレームに構成されている。
【０００６】
また、マルチフレームＭＦＮｏ．１には１ビットの付加ビットＣと７ビットのフレーム同期ビットＦから構成される。マルチフレームＭＦＮｏ．２〜Ｎｏ．１０、ＭＦＮｏ．１２〜Ｎｏ．２０、ＭＦＮｏ．２２〜Ｎｏ．３０、ＭＦＮｏ．３２〜Ｎｏ．４０には８ビット×３６フレームの最大２４の端末からのデータ信号が２８８ビット配置される。また、ＭＦＮｏ．１１、２１、３１にはデータ伝送中を示すステータスビットが配置される。
【０００７】
このように図３に示すフレーム構成例では、８ビット×４０フレームの３２０ビット中にデータ信号２８８ビットが配置できるため、データ伝送効率を９０％とすることができる。
【０００８】
図３のマルチフレーム構成例において、２．４ｋｂ／ｓのデータ信号には第１ビットグループから第１２ビットグループの各グループ中の１ビットを割り付けて、８ビット×４０フレーム中の１２ビットを使用する。この場合、図３の（ａ）に示すマルチフレーム中の１ビットは、０．２ｋｂ／ｓの伝送容量を持つため、計２．４ｋｂ／ｓのデータ信号の伝送が可能である。また、２．４ｋｂ／ｓのデータ信号に付随するデータ通信中を示すステータス信号には、図３のステータスビットＳ１〜Ｓ１２の任意の１ビットを割り付ける。
【０００９】
また、２．４ｋｂ／ｓ×ｎのデータは、第１ビットグループから第１２ビットグループの各グループ中のｎビットを割り付け、８ビット×４０フレーム中の（１２×ｎ）ビットを使用する。この場合、図３の（ａ）に示すマルチフレーム中の１ビットは、０．２ｋｂ／ｓの伝送容量を持つため、計２．４ｋｂ／ｓ×ｎのデータ信号の伝送が可能である。また、２．４ｋｂ／ｓ×ｎのデータ信号に付随するデータ通信中を示すステータス信号には、図３のステータスビットＳ１〜Ｓ１２の任意のｎビットを割り付ける。
【００１０】
【発明が解決しようとする課題】
しかしながら、前述した従来の多重化装置では、最大２４の端末からデータ信号の２８８ビットを８ビット×４０フレーム内に伝送するものであり、データ信号速度として２．４ｋｂ／ｓ×ｎのデータ信号を６４ｋｂ／ｓタイムスロット内に多重化することを目的としているため、シグナリング信号や他のタイムスロットで伝送されるデータ信号に付随するステータス信号を８ビット×４０フレームのマルチフレーム内に２．４ｋｂ／ｓ系のデータ信号と多重化することができない。
【００１１】
なお、データ信号に付随するステータス信号とは、ＩＴＵ−Ｔ勧告のＶシリーズインタフェースＲＳ信号またはＸシリーズインタフェースのＣ信号等のデータ伝送における制御信号を示す。
【００１２】
例えば、図３において、８ビット×４０フレームに２．４ｋｂ／ｓデータ信号２３チャネルを割り付け、１２×２３＝２７６ビットのデータと、１×２３＝２３ビットのステータスビットを使用している時、１２ビットのデータと１ビットのステータスビットが空きとなっていた場合にも、例えば０．８ｋｂ／ｓの速度でサンプリングされたシグナリング信号やデータチャネルに付随するステータス信号の１または複数チャネルを空きの領域に伝送することができないという不都合がある。
【００１３】
この課題を上記従来の多重化装置で解決しようとすると、６４ｋｂ／ｓの１タイムスロット以外に伝送するタイムスロットを追加しなければならない。そして高速ディジタル専用回線を使用していた場合には、１ランク上のサービス品目を選択しなければならず、しかも高速ディジタル専用回線の使用料も高額となる不都合がある。
【００１４】
本発明は、このような従来の課題を解決するためのものであり、６４ｋｂ／ｓのタイムスロット内に複数の伝送速度の異なるデータ信号とシグナリング信号やタイムスロット以外で伝送されるデータチャネルに付随するステータス信号を混在して効率よく多重化できるようした時分割多重化装置を提供することを目的とする。
【００１５】
【課題を解決するための手段】
本発明の時分割多重化装置においては、６４ｋｂ／ｓ単位のタイムスロット内に８ビット×４０フレームのマルチフレームを構成し、このマルチフレームの任意の１フレームの８ビットを付加ビットとし、前記８ビットの付加ビット内の任意複数ビットをフレーム同期ビットとし、前記マルチフレームの残りのフレームを３フレーム毎に２４ビットから構成されるグループに分割し、前記２４ビットを情報伝送用ビットとし、前記２４個の情報伝送用ビットには各々２４個の異なる情報伝送用ビット番号が前記１３組のグループに共通に付与され、前記８ビット×４０フレームのマルチフレーム内に同一番号を持つ情報伝送用ビットの集合１３ビットを１つの単位とし、前記８ビット×４０フレームのマルチフレーム内に２４個の前記同一番号を持つ情報伝送用ビットの集合を形成し、前記８ビット×４０フレームは前記フレーム同期ビットによりマルチフレーム同期を行い、チャネルの伝送速度に応じた数の前記同一番号を持つ情報伝送用ビットの集合でチャネルを構成すると共に、シグナリング信号または伝送されるデータチャネルに付随するステータス信号を各チャネル毎に多点サンプリングを行い、前記同一番号を持つ情報伝送用ビットの集合内の１つまたは複数のビットに割り当てて伝送することを特徴とする。
【００１６】
これにより、６４ｋｂ／ｓのタイムスロット内に複数の伝送速度の異なるデータ信号とシグナリング信号やタイムスロット以外で伝送されるデータチャネルに付随するステータス信号を混在して効率よく多重化できる。
【００１７】
【発明の実施の形態】
本発明の請求項１の発明は、６４ｋｂ／ｓ単位のタイムスロット内に８ビット×４０フレームのマルチフレームを構成し、このマルチフレームの任意の１フレームの８ビットを付加ビットとし、前記８ビットの付加ビット内の任意複数ビットをフレーム同期ビットとし、前記マルチフレームの残りのフレームを３フレーム毎に２４ビットから構成されるグループに分割し、前記２４ビットを情報伝送用ビットとし、前記２４個の情報伝送用ビットには各々２４個の異なる情報伝送用ビット番号が前記１３組のグループに共通に付与され、前記８ビット×４０フレームのマルチフレーム内に同一番号を持つ情報伝送用ビットの集合１３ビットを１つの単位とし、前記８ビット×４０フレームのマルチフレーム内に２４個の前記同一番号を持つ情報伝送用ビットの集合を形成し、前記８ビット×４０フレームは前記フレーム同期ビットによりマルチフレーム同期を行い、チャネルの伝送速度に応じた数の前記同一番号を持つ情報伝送用ビットの集合でチャネルを構成すると共に、シグナリング信号または伝送されるデータチャネルに付随するステータス信号を各チャネル毎に多点サンプリングを行い、前記同一番号を持つ情報伝送用ビットの集合内の１つまたは複数のビットに割り当てて伝送するものであり、６４ｋｂ／ｓ単位のタイムスロット内において、８ビット×４０フレームのマルチフレームを構成することにより、異速度のデータ信号やシグナリング信号またはデータチャネルに付随するステータス信号を混在して多重化することができ、タイムスロット内を効率的に使用できる。
【００１８】
本発明の請求項２の発明においては、８ビット×４０フレームのマルチフレームの同一番号を持つ情報伝送用ビットの集合に対し、複数のチャネルを当該チャネルの伝送速度に応じた数の前記同一番号を持つ情報伝送用ビットの集合を任意に選択してチャネルを構成することにより、前記８ビット×４０フレームのマルチフレームにおいて異速度のチャネルを混在させて伝送することができる。
【００１９】
本発明の請求項３の発明においては、２．４ｋｂ／ｓ×ｎ（ｎは自然数）の伝送速度を持つデータチャネルに対し、８ビット×４０フレームのマルチフレームのｎ個の同一番号を持つ情報伝送用ビットの集合を割り当て、当該同一番号を持つ情報伝送用ビットの集合中の（１２×ｎ）ビットをデータに、ｎビットを当該チャネルのデータ通信中を示すステータス信号として割り当て、２．４ｋｂ／ｓ×ｎの伝送速度を持つデータチャネルを構成することができる。
【００２２】
本発明の請求項４の発明においては、８ビット×４０フレームのマルチフレームの８ビット付加ビットのうちのフレーム同期ビット以外の１つまたは複数のビットを０．２ｋｂ／ｓ×ｋ（ｋは自然数）のデータ信号として割り当てることができる。
【００２３】
以下、本発明の実施の形態について、図１及び図２を用いて説明する。
【００２４】
図１は、本発明の一実施の形態におけるマルチフレームの構成例を示す図である。図１において、ユーザー情報チャネルは、使用回線により決定されるタイムスロットＴＳＮｏ．１〜Ｎｏ．ｎを有し、各６４ｋｂ／ｓ単位のタイムスロットは８ビット×４０フレームのマルチフレームに構成されている。
【００２５】
マルチフレームＭＦＮｏ．１は８ビットを付加ビットとし、この付加ビットのビットＮｏ．２〜ＮＯ．７にフレーム同期ビットＦが配置されている。また、マルチフレームＭＦＮｏ．１におけるビットＮ０．１の付加ビットであるリザーブビットＲは、１ビット当たり０．２ｋｂ／ｓの伝送容量を持ち、必要に応じ任意のビット数を使用してデータ信号の伝送やアラーム状態の転送を行う。
【００２６】
マルチフレームＭＦＮｏ．２〜Ｎｏ．４０の３９フレームは、図１に示すように、３フレーム毎に８×３＝２４ビットから構成されるＧ１〜Ｇ１３の１３グループに分割されている。この同一グループ中の２４ビットを情報伝送用ビットとし、この２４個の情報伝送用ビットには各々２４個の異なる情報伝送用ビット番号がグループＧ１〜Ｇ１３に共通に付与されている。
【００２７】
図１に示す例では、グループＧ１〜Ｇ１３内の情報伝送用ビットにマルチフレームタイムスロット（以下、ＭＴＳ、と記す）ＭＴＳ１〜ＭＴＳ１４の情報伝送用ビット番号が付与されている。
【００２８】
また、図１（ａ）に示す８ビット×４０フレームのマルチフレーム内に同一番号を持つ情報伝送用ビットの集合１３ビットを１つの単位とし、これをＭＴＳと称している。従って、図１に示す８ビット×４０フレームのマルチフレーム内には２４個のＭＴＳを形成している。
【００２９】
図１（ａ）に示すマルチフレームは、フレーム同期ビットＦによりマルチフレーム同期を行い、チャネルの伝送速度に応じた数のＭＴＳを選択することでチャネルを構成する。
【００３０】
ＭＴＳは１つ当たり２．４ｋｂ／ｓ＋０．２ｋｂ／ｓの伝送容量を持ち、２．４ｋｂ／ｓ×ｎのデータ信号は任意のｎ個のＭＴＳを伝送速度に応じて選択することにより、２．４ｋｂ／ｓ×ｎのデータ信号と該データ信号の通信中を示すステータス信号を０．２ｋｂ／ｓ×ｎの速度で伝送することができる。
【００３１】
図１（ｂ）は９．６ｋｂ／ｓをＭＴＳ１、２、３、４に割り当てた例を示している。ＭＴＳの割り当ては連続していなくてもよく、ＭＴＳ１、ＭＴＳ４、ＭＴＳ５、ＭＴＳ１４のような割り当てでもよい。
【００３２】
次に、本発明の実施の形態におけるシグナリング信号及び図１（ａ）のマルチフレーム領域以外で伝送されるデータ信号に付随するステータス信号の多重化例を図２を参照して説明する。
【００３３】
図１（ａ）のマルチフレーム中の１つのＭＴＳは、グループＧ１〜Ｇ１３に各１ビットを持ち、合計１３ビットを持つ。シグナリング信号または図１（ａ）のマルチフレーム領域以外で伝送されるデータ信号に付随するステータス信号は各チャネル毎に多点サンプリングを行い、任意の１つまたは複数のＭＴＳを選択し、１つのＭＴＳ内の１３ビット中の必要なビットを割り当てて伝送する。
【００３４】
図２の例では、シグナリング信号または図１（ａ）マルチフレーム領域以外で伝送されるデータ信号に付随するステータス信号は各チャネル毎に０．６ｋｂ／ｓのサンプリング速度でサンプリングを行い、任意１つのＭＴＳを選択し、各チャネル毎にＭＴＳ内の１３ビット中の３ビットを割り当て、ＳＩＧ１〜ＳＩＧ４として、計４チャネルを伝送する例を示している。
【００３５】
【発明の効果】
本発明によれば、６４ｋｂ／ｓのタイムスロット内に８ビット×４０フレームのマルチフレームを構成することにより、異速度のデータ信号やシグナリング信号またはタイムスロット以外で伝送されるデータチャネル等のデータ信号に付随するステータス信号を６４ｋｂ／ｓのタイムスロット内に混在させて多重化し伝送することができるとともに、タイムスロット内を効率的に使用することができるため、高速ディジタル専用回線等の回線借用費を削減することができる。
【図面の簡単な説明】
【図１】本発明の一実施の形態におけるマルチフレームの構成例を示す図
【図２】本発明の実施の形態におけるシグナリング信号またはデータ信号に付随するステータス信号のフレーム構成例を示す図
【図３】従来のビット多重化方法におけるフレーム構成例を示す図
【符号の説明】
ＴＳ  タイムスロット
ＭＦ  マルチフレーム
Ｇ１〜Ｇ１３  グループ
ＭＴＳ  マルチフレームタイムスロット
Ｆ    フレーム同期ビット
Ｒ    リザーブビット
【図１】
0003678504.tif 000002
【図２】
0003678504.tif 000003
【図３】
0003678504.tif 000004